(57)【特許請求の範囲】
【請求項１】
米と水とを収容する飯器を取出自在に収納する炊飯器本体と、該炊飯器本体を開閉自在に覆う蓋体と、該蓋体と前記飯器との間に着脱自在に設けられる内蓋とを備えた電気炊飯器であって、前記内蓋には、前記蓋体に対して係脱自在とされる複数の蓋係合部を設けるとともに、これらの蓋係合部のうち少なくとも一つ以上には、蓋体の閉蓋時に前記炊飯器本体の肩部によって動きを規制される部材を具備させたことを特徴とする電気炊飯器。
【請求項２】
前記内蓋には、前記蓋体に対して係脱自在とされる複数の蓋係合部と前記内蓋を着脱する際のツマミ部となる着脱ツマミと前記炊飯器本体側の開閉レバーに対して蓋体閉蓋時に係合するレバー係合部とを設けるとともに、前記レバー係合部が前記着脱ツマミを兼ねるように構成したことを特徴とする請求項１記載の電気炊飯器。
【請求項３】
前記蓋係合部には、係合部分を摺動させるための付勢手段を設けたことを特徴とする請求項１および２のいずれか一項記載の電気炊飯器。
【発明の詳細な説明】
【技術分野】
【０００１】
本願発明は、電気炊飯器に関し、さらに詳しくは、蓋体に対して着脱自在であって蓋体に装着した状態でなければ蓋体が閉蓋できないような構造の内蓋を備えた電気炊飯器に関するものである。
【背景技術】
【０００２】
一般に、電気炊飯器においては、蓋体の内側に、該蓋体の閉蓋時に飯器の上部開口を閉塞するための内蓋を装着する構造のものが良く知られている。
【０００３】
上記構造の電気炊飯器において、前記内蓋が蓋体に対して着脱自在であって、内蓋を蓋体下面側にセットしなければ蓋体が閉蓋できない構造とされたものが提案されている。例えば、特許文献１に記載のように、内蓋のセット忘れを防止するために、内蓋を蓋体にセットするための係合部のうち少なくとも一つを蓋体開閉フック用の爪として機能させるようにしたものとか、特許文献２に記載のように、内蓋の着脱感の向上とガタ付吸収を図るために、内蓋について、蓋体下面への係合部材として、「引っ掛け形状」と「別部品からなるバネ付フック部品付着脱ツマミ」を有するものが知られている。
【先行技術文献】
【特許文献】
【０００４】
【特許文献１】特許第３４１２４６７号公報。
【特許文献２】特許第３６３３４０８号公報。
【発明の概要】
【発明が解決しようとする課題】
【０００５】
上記特許文献１，２の場合、内蓋を蓋体にセットするための係合部のうち少なくとも一つを蓋体開閉フック用の爪として機能させるようにしたり、蓋体下面への係合部材として、「引っ掛け形状」と「別部品からなるバネ付フック部品付着脱ツマミ」を有するようにしているが、内蓋と蓋体との係合力を強くすると、着脱が難しく（換言すれば、操作性が悪く）なり、逆に前記係合力が弱いと、炊飯中に（あるいは衝撃等の外力により）蓋体が開蓋してしまうという相反する課題がある。
【０００６】
この出願の発明は、このような事情に基づいてなされたもので、内蓋の着脱時の操作性が良好で、炊飯中に（あるいは衝撃等の外力により）蓋体が開蓋することがないようにすることを目的とする。
【課題を解決するための手段】
【０００７】
本願発明では、上記課題を解決するための第１の手段として、米と水とを収容する飯器を取出自在に収納する炊飯器本体と、該炊飯器本体を開閉自在に覆う蓋体と、該蓋体と前記飯器との間に着脱自在に設けられる内蓋とを備えた電気炊飯器において、前記内蓋には、前記蓋体に対して係脱自在とされる複数の蓋係合部を設けるとともに、これらの蓋係合部のうち少なくとも一つ以上に、蓋体の閉蓋時に前記炊飯器本体の肩部によって動きを規制される部材を具備させている。
【０００８】
上記のように構成したことにより、内蓋に蓋体に対して係脱自在とされる複数の蓋係合部を設けたことにより、蓋体に対する内蓋の着脱操作性が良好となるとともに、これらの蓋係合部のうち少なくとも一つ以上に、蓋体の閉蓋時に前記炊飯器本体の肩部によって動きを規制される部材を具備させたことにより、炊飯中に（あるいは衝撃等の外力により）蓋体が不用意に開蓋するということもなくなる。
【０００９】
本願発明では、さらに、上記課題を解決するための第２の手段として、上記第１の手段を備えた電気炊飯器において、前記内蓋には、前記蓋体に対して係脱自在とされる複数の蓋係合部と内蓋を着脱する際のツマミ部となる着脱ツマミと前記炊飯器本体側の開閉レバーに対して蓋体閉蓋時に係合するレバー係合部とを設けるとともに、前記レバー係合部が前記着脱ツマミを兼ねるように構成することもでき、そのように構成した場合、レバー係合部で着脱ツマミを兼ねることにより、部品点数を低減することができる。
【００１０】
本願発明では、さらに、上記課題を解決するための第３の手段として、上記第１又は第２の手段を備えた電気炊飯器において、前記蓋係合部には、係合部分を摺動させるための付勢手段を設けることもでき、そのように構成した場合、付勢手段による付勢力を適正に設定することにより、蓋体に対する内蓋の着脱操作性がより一層良好となるとともに、炊飯中に（あるいは衝撃等の外力により）蓋体が不用意に開蓋するということもなくなる。
【発明の効果】
【００１１】
本願発明の第１の手段によれば、米と水とを収容する飯器を取出自在に収納する炊飯器本体と、該炊飯器本体を開閉自在に覆う蓋体と、該蓋体と前記飯器との間に着脱自在に設けられる内蓋とを備えた電気炊飯器において、前記内蓋には、前記蓋体に対して係脱自在とされる複数の蓋係合部を設けるとともに、これらの蓋係合部のうち少なくとも一つ以上に、蓋体の閉蓋時に前記炊飯器本体の肩部によって動きを規制される部材を具備させたことにより、蓋体に対する内蓋の着脱操作性が良好となるとともに、炊飯中に（あるいは衝撃等の外力により）蓋体が不用意に開蓋するということもなくなるという効果がある。
【００１２】
本願発明の第２の手段におけるように、上記第１の手段を備えた電気炊飯器において、前記内蓋には、前記蓋体に対して係脱自在とされる複数の蓋係合部と内蓋を着脱する際のツマミ部となる着脱ツマミと前記炊飯器本体側の開閉レバーに対して蓋体閉蓋時に係合するレバー係合部とを設けるとともに、前記レバー係合部が前記着脱ツマミを兼ねるように構成することもでき、そのように構成した場合、レバー係合部で着脱ツマミを兼ねることにより、部品点数を低減することができる。
【００１３】
本願発明の第３の手段におけるように、上記第１又は第２の手段を備えた電気炊飯器において、前記蓋係合部には、係合部分を摺動させるための付勢手段を設けることもでき、そのように構成した場合、付勢手段による付勢力を適正に設定することにより、蓋体に対する内蓋の着脱操作性がより一層良好となるとともに、炊飯中に（あるいは衝撃等の外力により）蓋体が不用意に開蓋するということもなくなる。
【図面の簡単な説明】
【００１４】
【図１】本願発明の第１の実施の形態にかかる電気炊飯器の縦断面図である。
【図２】図１の要部拡大図である。
【図３】本願発明の第１の実施の形態にかかる電気炊飯器における内蓋を下方から見た斜視図である。
【図４】本願発明の第１の実施の形態にかかる電気炊飯器における内蓋の要部分解斜視図である。
【図５】本願発明の第１の実施の形態にかかる電気炊飯器における内蓋の要部を示す正面図である。
【図６】本願発明の第１の実施の形態にかかる電気炊飯器における内蓋の要部を示す側断面図である。
【図７】本願発明の第１の実施の形態にかかる電気炊飯器における内蓋の要部を示す側面図である。
【図８】本願発明の第１の実施の形態にかかる電気炊飯器の内蓋におけるフック部品の拡大側面図である。
【図９】本願発明の第１の実施の形態にかかる電気炊飯器の内蓋におけるフック部品の動作を説明する要部拡大断面図である。
【図１０】本願発明の第２の実施の形態にかかる電気炊飯器における内蓋を上方から見た斜視図である。
【発明を実施するための形態】
【００１５】
以下、添付の図面を参照して、本願発明の幾つかの好適な実施の形態について説明する。
【００１６】
第１の実施の形態
図１ないし図９には、本願発明の第１の実施の形態にかかる電気炊飯器が示されている。
【００１７】
この電気炊飯器は、図１に示すように、米と水とを収容する飯器３を取出自在に収納し得るように構成され且つ空間部を有する二重構造の炊飯器本体１と、該炊飯器本体１の上部開口を開閉自在に覆蓋する蓋体２とを備えている。
【００１８】
前記炊飯器本体１は、外側壁を構成する円筒形状の板金製の外ケース４と、底壁を構成するお椀形状の合成樹脂製の底部材５と、肩部を構成する合成樹脂製の肩部材６と、内周壁を構成する合成樹脂製の有底円筒形状の保護枠７とからなっている。前記肩部材６は、前記保護枠７の上端部を前記外ケース４の上端部に結合する環状部材からなっている。なお、前記保護枠７内には、前記飯器３が取り出し可能に収納されることとなっている。
【００１９】
前記飯器３は、金属製とされており、加熱手段Ｃにより加熱され、内部に収容した米と水とを加熱することによりご飯を炊き上げることとなっている。
【００２０】
一方、前記蓋体２は、外面を構成する合成樹脂製の上板８と、内面を構成する合成樹脂製の下板９とによって構成されている。この蓋体２は、前記肩部材５の一側に設けられたヒンジユニット１０に対して弧回動可能に枢支されている。
【００２１】
前記蓋体２の反ヒンジユニット側には、操作パネル部１１が設けられている。そして、該操作パネル部１１の上面には、例えば十分に広く大きな表示面積をもつ液晶表示部と炊飯スイッチ、タイマー予約スイッチ、取消スイッチ、保温スイッチ、再加熱スイッチ、メニュー選択スイッチ、時スイッチ、分スイッチ等の各種入力スイッチ（タッチキースイッチ）が設けられている。また、該操作パネル部１１の内方には、制御基板およびマイコン基板が設置されている。
【００２２】
そして、前記蓋体２の下面には、前記飯器３の開口部を蓋体２の閉止時に覆蓋する金属製（例えば、アルミ合金製）の内蓋１２が設けられている。該内蓋１２には、炊飯中に飯器３内において発生する水蒸気およびおネバを放出するための開口が形成されている。符号１３は内蓋１２の外周部に設けられたシールパッキンである。
【００２３】
また、前記蓋体２の下面側にあって前記内蓋１２との間には、蓋ヒータ１４を備えた放熱板１５が取り付けられており、該放熱板１５には、中心から前記ヒンジユニット１０に寄った位置に前記飯器３内において発生した水蒸気を外部へ導く蒸気口１６が設けられている。そして、該蒸気口１６から上方に向かって前記蓋体２を貫通する蒸気通路１７が形成されており、該蒸気通路１７には、炊飯器本体１内の圧力（換言すれば、飯器３内の圧力）を調節するための調圧装置１８が配設されている。
【００２４】
前記内蓋１２には、図３に示すように、ヒンジユニット側端部に位置して前記蓋体２に対して係脱自在とされる蓋係合部１９，１９と、反ヒンジユニット側端部に位置して前記蓋体２に対して係脱自在とされる蓋係合部２０，２０とが設けられており、これらの蓋係合部１９，１９および２０，２０のうち少なくとも一つ以上（例えば、蓋係合部２０，２０）には、蓋体２の閉蓋時に前記炊飯器本体１の肩部（即ち、肩部材６）によって動きを規制される部材（例えば、後述する延設部２０ｄ，２０ｄ）が具備せしめられている。
【００２５】
そして、前記蓋係合部２０，２０は、図４ないし図９に示すように、連結部２０ａにより一体的に連結されており、該蓋係合部２０，２０の側方上端部に一体形成された回転軸２０ｂ，２０ｂを前記内蓋１２の外周部に突設された一対の軸受部２２，２２に対して回動自在に枢支することにより弧回動自在とされている。なお、前記蓋係合部２０，２０は、前記連結部２０ａの中央部と前記内蓋１２の外周部との間に介設された付勢手段であるバネ２３によって外向きに付勢されている。つまり、前記蓋係合部２０，２０は、バネ付きフック部品Ａを構成することとなっているのである。
【００２６】
また、前記内蓋１２の外周部であって前記蓋係合部２０，２０に挟まれる位置には、前記炊飯器本体１側に設けられた開閉レバーとなるレバーフック２４に対して蓋体２の閉蓋時に係合して蓋体２の閉蓋状態を保持するレバー係合部となる係合ツメ２５が前記内蓋１２の外周部を構成する合成樹脂製の内蓋リング１２ａと一体に設けられている。つまり、図４ないし図９に示すように、前記係合ツメ２５の中心線Ｏから所定距離オフセットした位置に前記蓋係合部２０，２０が位置することとなっており、前記バネ２３は、前記係合ツメ２５の中央部と前記蓋係合部２０，２０の連結部２０ａの中央部との間に介設されることとなっているのである。なお、本実施の形態においては、前記レバーフック２４と係合ツメ２５との係合は、該レバーフック２４先端に外向きに一体突設されたツメ部２４ａに対して前記係合ツメ２５の内向きのツメ部２５ａとが係合することによる係合とされている。符号２６は、内蓋１２の外周縁において前記バネ付きフック部品Ａを挟む位置に一体に形成された一対の着脱ツマミである。
【００２７】
ところで、上記のような構成の内蓋１２の場合、「付勢手段であるバネ２３の付勢力が蓋係合部２０と蓋体２側との係合力を決める要素となるが、バネ２３の付勢力が強いと内蓋１２の着脱操作が困難となり、バネ２３の付勢力が弱いと炊飯中や外力が加わると内蓋１２と蓋体２との係合が解除されて不意に蓋体２が開蓋してしまうおそれがある」というジレンマの関係にある。
【００２８】
そこで、本実施の形態においては、前記各蓋係合部２０は、図４ないし図８に示すように、蓋体２の下板９の外周部に形成された内蓋係合部となる係合凸部９ａに対して内蓋１２の装着時に係合する係合突部２０ｃと該係合突部２０ｃの下端から一体に延設されたひれ形状の延設部２０ｄとを有している。該延設部２０ｄは、図９に示すように、内蓋１２を装着した状態の蓋体２を閉蓋したとき炊飯器本体１の肩部を構成する肩部材６との当接されることとなるところから、前記肩部材６には、前記延設部２０ｄの動きを規制する段部６ａが形成されている。このようにしたことにより、蓋体２の閉蓋時には、蓋係合部２０の延設部２０ｄが肩部材６の段部６ａによって動き（蓋体２の下板９に形成された係合凸部９ａと蓋係合部２０の係合突部２０ｃとの係合が外れる方向への動き）を規制されるが、蓋体２の開蓋時には、蓋係合部２０の延設部２０ｄが肩部材６から離れることにより、蓋係合部２０の動きが自由となることとなり、蓋係合部２０を付勢しているバネ２３の付勢力を弱めても、炊飯中や外力が加わった場合に内蓋１２と蓋体２との係合が解除されて不意に蓋体２が開蓋してしまうということがなくなるので、内蓋１２の着脱感の向上を図ることができる。また、蓋係合部２０を付勢しているバネ２３の付勢力がへたっても蓋体２が開蓋してしまうこともなくなる。
【００２９】
ところで、炊飯時などの加熱時には、蓋体２は寸法が伸びる傾向にあり、上記したフック部品Ａの動き（即ち、蓋係合部２０の動き）を規制する力が甘くなることが懸念される。
【００３０】
そこで、図８に示すように、蓋係合部２０における回転軸２０ｂの中心から係合突部２０ｃまでの長さをＸ、回転軸２０ｂの中心から延設部２０ｄ先端までの長さをＹとしたとき、
Ｘ：Ｙ＝１：２
となるように設定している。
【００３１】
上記のように設定すると、係合突部２０ｃの回転移動距離ｘと、延設部２０ｄ先端の回転移動距離ｙとの関係は、上記Ｘ，Ｙの関係と同じく、
ｘ：ｙ＝１：２
となる。
【００３２】
つまり、延設部２０ｄと肩部材６との当たりで蓋係合部２０の動きを規制する効率が２倍になるのである。
【００３３】
例えば、係合突部２０ｃのかかりしろ（即ち、上記長さＸ）を１．５ｍｍとした場合、延設部２０ｄ先端が２倍の３．０ｍｍ動くこととなる。従って、延設部２０ｄと肩部材６との当たりによって延設部２０ｄ先端の動きを３．０ｍｍ以内に規制することができれば、係合突部２０ｃは外れることはなくなる。
【００３４】
なお、本実施の形態においては、長さＸと長さＹとの比率を、Ｘ：Ｙ＝１：２としているが、部品配置に余裕があれば、上記比率を大きくすることも可能である。ただし、長さＸ（即ち、回転軸２０ｂの中心から係合突部２０ｃまでの長さＸ）をあまり短かくすると、着脱感の悪化を招くことが考えられるので注意が必要である。
【００３５】
第２の実施の形態
図１０には、本願発明の第２の実施の形態にかかる電気炊飯器における内蓋が示されている。
【００３６】
この場合、バネ付きフック部品Ａ（即ち、蓋係合部２０）は、内蓋１２の外周縁であって該内蓋１２に設けられた係合ツメ２５を所定距離離れた位置で挟むように別々に設けられている。なお、本実施の形態においては、前記係合ツメ２５のツメ部２５ａは、外向きとされており、内蓋１２を着脱する際の着脱用ツマミを兼用することとなっている。従って、本体側のレバーフック２４のツメ部２４ａも、第１の実施の形態におけると逆向きで係合できるようになっている。このようにすると、内蓋１２の着脱の際に、係合ツメ２５をつまんで操作すればよく、片手で操作可能で着脱操作がし易くなるとともに、炊飯時等において蓋体２が膨張した場合であっても係合ツメ２５が外れるということがなくなる。
【００３７】
その他の構成および作用効果は、第１の実施の形態におけると同様なので、説明を省略する。
【００３８】
本願発明は、上記各実施の形態に限定されるものではなく、発明の要旨を逸脱しない範囲において適宜設計変更可能なことは勿論である。
【符号の説明】
【００３９】
１は炊飯器本体
２は蓋体
３は飯器
６は肩部材
６ａは段部
９は下板
９ａは内蓋係合部（係合凸部）
１０はヒンジユニット
１２は内蓋
１９は蓋係合部
２０は蓋係合部
２０ａは連結部
２０ｂは回転軸
２０ｃは係合突部
２０ｄは延設部
２３は付勢手段（バネ）
２４は開閉レバー（レバーフック）
２５はレバー係合部（係合ツメ）
２６は着脱ツマミ
【図１】
0005659596.tif 000002
【図２】
0005659596.tif 000003
【図３】
0005659596.tif 000004
【図４】
0005659596.tif 000005
【図５】
0005659596.tif 000006
【図６】
0005659596.tif 000007
【図７】
0005659596.tif 000008
【図８】
0005659596.tif 000009
【図９】
0005659596.tif 000010
【図１０】
0005659596.tif 000011